(57)【要約】【課題】錠の取付面と異なる面にも取り付けられて錠と協働することができるストライクを提供すること。【解決手段】横断面が矩形をしたデッドボルト２１０が嵌入して施錠するストライクにおいて、立方体の一面に設けられた第1のデッドボルト用開口１１１ａと、前記立方体の他の面に前記第1のデッドボルトと直角方向をなす向きに設けられた第２のデッドボルト用開口１１２ａと、をそなえたことを特徴とするストライク。【選択図】図１
0003131650.tif 000002
【実用新案登録請求の範囲】
【請求項１】
横断面が矩形をしたデッドボルトが嵌入して施錠するストライクにおいて、
立方体の一面に設けられた第１のデッドボルト用開口と、
前記立方体の他の面に前記第１のデッドボルトと直角方向をなす向きに設けられた第２のデッドボルト用開口と、
をそなえたことを特徴とするストライク。
【請求項２】
請求項１記載のストライクにおいて、
前記デッドボルト用開口に対応する前記立方体の表面に、前記デッドボルト用開口に達する覗き窓が設けられたことを特徴とするストライク。  
【請求項３】
請求項１記載のストライクにおいて、
前記立方体は、両面テープで取付対象物に固着するための平面を有することを特徴とするストライク。
【考案の詳細な説明】
【技術分野】
【０００１】
本考案は、錠のデッドボルトが係合するストライクに係わり、とくに取付対象物の取付個所の構造に対応し得るストライクに関する。
【背景技術】
【０００２】
近年、セキュリティ対策を強化する傾向にあり、建物のドアであれば２重、３重の施錠が一般化している。これに対応して、オフィス等の各種収納庫（書庫、金庫、キャビネット、ロッカー、下駄箱、机の抽斗等）もより強力な施錠が求められている。このような観点から、既設の主錠の外に補助錠として電子ロックを後付けすることが普及している。
【０００３】
ここで、一般的な電子錠は、デッドボルトを出入りさせて施解錠する構造であるから、このデッドボルトが係合するストライクとともに取り付ける必要がある。このため、収納庫の固定部と可動部の一方に錠を、他方にストライクを取り付けることになる。そして、ストライクは錠によって異なるため、各種の錠に対応し得るストライクが提供されている（特許文献１参照）。
【特許文献１】特開２００３−２１３９８１号公報
【考案の開示】
【考案が解決しようとする課題】
【０００４】
しかしながら、収納庫が既設であると、錠とストライクとを予定通りに同一平面上に取り付けられるとは限らず、特許文献１記載のストライクでも対応できない場合がある。
【０００５】
本考案は上述の点を考慮してなされたもので、錠の取付面と異なる面にも取り付けられて錠と協働することができるストライクを提供することを目的とする。
【課題を解決するための手段】
【０００６】
上記目的達成のため、本発明では、
横断面が矩形をしたデッドボルトが嵌入して施錠するストライクにおいて、
立方体の一面に設けられた第1のデッドボルト用開口と、
前記立方体の他の面に前記第1のデッドボルトと直角方向をなす向きに設けられた第２のデッドボルト用開口と、
をそなえたことを特徴とするストライク、
を提供するものである。
【考案の効果】
【０００７】
本考案は上述のように、向きの異なる少なくとも２つのデッドボルト用開口を有するため、設置場所の制限が大幅に緩和され、錠の取付対象を拡大することができる。
【考案を実施するための最良の形態】
【０００８】
以下、添付図面を参照して本考案の実施の形態を説明する。
【実施例１】
【０００９】
図１(a)，(b)は本考案に係るストライク１００を示し、図２(a)，(b)はこのストライク１００と組み合わせて使用される電子錠２００を示している。そして、ストライク１００は、電子錠２００と組み合わされるものであり、電子錠２００と並べて設置されるのが普通である。そこで、まず図２を参照して電子錠２００を説明し、次いでストライク１００を説明することとする。
【００１０】
図２(a)，(b)は、電子錠として構成された錠２００の施錠状態および解錠状態の外観をそれぞれ示す斜視図である。この錠２００は、図示のように正面から見て左側面に横断面が矩形のデッドボルト２１０を有しており、このデッドボルト２１０を電子錠本体２２０のケース２２１から出没させる。
【００１１】
出没操作は、図示しない電子キーを、電子錠本体２２０の正面に設けられた操作部２２２ａに当接すると、そのやや上部にある発光表示窓２２２ｂが発光して応動したことが表示され、かつデッドボルト２１０がケース２２１から突出したり、引っ込んだりする。
【００１２】
デッドボルト２１０は、その本体２１０ａの一側面に色付き表示２１０ｂを有する。この表示２１０ｂは、デッドボルト２１０が突出したことを目視確認するために設けられており、例えば緑色に着色されている。
【００１３】
本体２２０の正面左側は、電池蓋２２３であり、指掛け２２３ａに指を掛け蓋をスライドさせて電池蓋２２３を開け、電池交換を行う。
【００１４】
この電子錠２００と組み合わされるストライク１００は、図１(a)，(b)に示す構成である。図１(a)，(b)は本考案の一実施例の外観形状を示すもので、ストライク１００を左、右の斜め上から見た斜視図である。この図１において、１００は外付け用ストライクであり、電子錠２００（図１）と並べて設置される。
【００１５】
例えば抽斗の前板に錠を取り付けるのが通例であるが、ストライク１００は抽斗の枠に錠と並べて取り付けることになる。抽斗の枠は、通常、幅が狭く縦方向に延びているから、ストライク１００は枠の前面に縦向きに取り付けることになる。開口１１１ａは、そのときに用いる。
【００１６】
一方、枠の幅が更に狭いときは、机の抽斗の脇の壁面にストライク１００を取り付けざるを得ない。そのときは、ストライク１００を横長姿勢として開口１１２ａにデッドボルト２１０が嵌入するように配する。
【００１７】
したがって、ストライク１００は、２つの開口１１１ａ，１１２ａの何れかを用いる２通りの取付け方がある。そして、本体１１０のこれら２つの開口１１１ａ，１１２ａに対応する壁面に、これら開口１１１ａ，１１２ａに連通する覗き窓１１１ｂ，１１２ｂが設けられており、デッドボルト２１０が嵌入したときに目視観察できるようになっている。
【００１８】
ストライク１００は、とくに材料を選ばないが、樹脂製とすれば製造、取り扱いの両面で好都合である。
【００１９】
図３(a)，(b)は、ストライク１００の２通りの取付け方を示している。図３(a)は、電子錠２００を机の抽斗に取り付ける場合であり、ストライク１００の固着対象物が机の抽斗周りの縦枠Ａである。この場合、ストライク１００は縦長姿勢で取り付けることになり、縦枠Ａに対してストライク１００の裏面、つまり図示しない開口１１２ｂが設けられている面を両面テープ（図示せず）で固着する。
【００２０】
この図３(a)に示す姿勢で取り付けられると、デッドボルト２１０がストライク１００に嵌入したときは、覗き窓１１１ｂからデッドボルト２１０の色付き表示２１０ｂが見えることになる。したがって、電子錠２００の正面からロック状態が確認できる。
【００２１】
次に、図３(b)は、電子錠２００を小型金庫の蓋Ｂ１に取り付ける場合であり、ストライク１００の固着対象物が小型金庫の側壁Ｂ２である。この場合、ストライク１００は横長姿勢で取り付けることになるが、小型金庫の側壁Ｂ２に対してストライク１００の裏面、つまり開口１１２ｂが設けられている面を両面テープ（図示せず）で固着する点は同様である。
【００２２】
この図３(b)に示す姿勢で取り付けられると、デッドボルト２１０の嵌入状態は覗き窓１１２ｂから見える。このときも、電子錠２００の正面からロック状態が確認できる。
【他の実施例】
【００２３】
上記実施例１では、電子錠のデッドボルトが断面形状矩形のものを示したが、  
丸棒型等の他の形状であっても、開口１１１ａ，１１２ａおよび必要に応じて覗き窓１１１ｂ，１１２ｂの形状をデッドボルト形状に合わせて変形することで、同様に本考案を適用することができる。
【００２４】
また、実施例１は、電子錠と組み合わされるストライクとして説明したが、機械錠にも本考案を適用することができる。
【図面の簡単な説明】
【００２５】
【図１】図１は、本考案の一実施例が組合せて使用される電子錠の構成を示す外観図であり、図１(a)はデッドボルトが突出した状態を、図１(b)はデッドボルトが引っ込んだ状態を示す斜視図。
【図２】図２は、本考案の一実施例を示す外観図であり、図２(a)は２つの開口が見える状態を、図２(b)は２つの覗き窓が見える状態を示す斜視図。
【図３】図３は、図２に示した実施例を電子錠とともに対象物に取り付けた状態を示す外観図であり、図３(a)は縦向きに取り付ける場合を、図３(b)は横向きに取り付ける場合を示す斜視図。
【符号の説明】
【００２６】
１００  ストライク、１１０  ストライク本体、  １１１  開口、
１１１ａ  開口、１１１ｂ  覗き窓、１１２ａ  、１１２ｂ  覗き窓、
１１３  取付穴、２００  電子錠、２１０  デッドボルト、
２１０ａ  デッドボルト本体、２１０ｂ  色付き表示、２２０  電子錠本体、
２２１  ケース、２２２ａ  操作部、２２２ｂ  発光表示窓、２２３  電池蓋、２２３ａ  指掛け、Ａ  抽斗縦枠、Ｂ１  金庫の蓋、Ｂ２  金庫の側壁。
【図１】
0003131650.tif 000003
【図２】
0003131650.tif 000004
【図３】
0003131650.tif 000005